【手続補正書】
【提出日】平成15年11月28日(2003.11.28)
【手続補正１】
【補正対象書類名】明細書
【補正対象項目名】発明の名称
【補正方法】変更
【補正の内容】
【発明の名称】記録可能な光ディスク


【手続補正２】
【補正対象書類名】明細書
【補正対象項目名】特許請求の範囲
【補正方法】変更
【補正の内容】
【特許請求の範囲】
【請求項１】
同心円状またはスパイラル状に形成されたトラッキング用の凸部（ランド部）および凹部（グルーブ部）を有する基板と、
前記凸部および凹部の上に形成されてレーザー光の照射により発生した熱を拡散する熱拡散層と、
前記凸部および凹部の熱拡散層上に形成された保護層と、
前記凸部および凹部の保護層上に形成されて前記レーザー光の照射によって情報を記録する記録層とを備え、
前記凹部の記録層は、その厚さが前記凸部の記録層の厚さより薄く、
前記凹部の記録層は、当該光ディスクの厚さ方向において前記凸部の熱拡散層とほぼ一致する高さ位置に形成され、
前記凸部および前記凹部の記録層は、それぞれ同じパワーのレーザー光により情報を記録することを特徴とする記録可能な光ディスク。
【請求項２】
同心円状またはスパイラル状に形成されたトラッキング用の凸部（ランド部）および凹部（グルーブ部）を有する基板と、
前記凸部および凹部の上に形成されてレーザー光の照射により発生した熱を拡散する熱拡散層と、
前記凸部および凹部の熱拡散層上に形成された保護層と、
前記凸部および凹部の保護層上に形成されて前記レーザー光の照射によって情報を記録する記録層とを備え、
前記凹部の記録層から隣接する前記凸部の熱拡散層までの熱抵抗は、当該凹部の記録層から当該凹部の熱拡散層までの熱抵抗より小さいことを特徴とする記録可能な光ディスク。
【請求項３】
同心円状またはスパイラル状に形成されたトラッキング用の凸部（ランド部）および凹部（グルーブ部）を有する基板と、
前記凸部および凹部の上に形成されてレーザー光の照射により発生した熱を拡散する熱拡散層と、
前記凸部および凹部の熱拡散層上に形成された保護層と、
前記凸部および凹部の保護層上に形成されて前記レーザー光の照射によって情報を記録する記録層とを備え、
前記凹部の記録層は、当該凹部の熱拡散層と比較して、隣接する前記凸部の熱拡散層と熱伝導的に近い位置に形成されていることを特徴とする記録可能な光ディスク。
【請求項４】
同心円状またはスパイラル状に形成されたトラッキング用の凸部（ランド部）および凹部（グルーブ部）を有する基板と、当該基板上に形成された熱拡散層と、当該熱拡散層上に形成された保護層と、当該保護層上に形成されて前記レーザー光の照射によって情報を記録する記録層とを備える記録可能な光ディスクにおいて、
前記光ディスクの厚さ方向における高さ位置を見たとき、前記凹部における前記記録層と前記凸部における前記熱拡散層とがほぼ一致する高さ位置にあることを特徴とする記録可能な光ディスク。
【手続補正３】
【補正対象書類名】明細書
【補正対象項目名】０００８
【補正方法】変更
【補正の内容】
【０００８】
【課題を解決するための手段】
このような目的を達成するために、本発明にかかる記録可能な光ディスクは、同心円状またはスパイラル状に形成されたトラッキング用の凸部（ランド部）および凹部（グルーブ部）を有する基板と、凸部および凹部の上に形成されてレーザー光の照射により発生した熱を拡散する熱拡散層と、凸部および凹部の熱拡散層上に形成された保護層と、凸部および凹部の保護層上に形成されてレーザー光の照射によって情報を記録する記録層とを備え、凹部の記録層は、その厚さが凸部の記録層の厚さより薄く、凹部の記録層は、当該光ディスクの厚さ方向において凸部の熱拡散層とほぼ一致する高さ位置に形成され、凸部および凹部の記録層は、それぞれ同じパワーのレーザー光により情報を記録することを特徴とするものである。
また、本発明にかかる他の記録可能な光ディスクは、同心円状またはスパイラル状に形成されたトラッキング用の凸部（ランド部）および凹部（グルーブ部）を有する基板と、凸部および凹部の上に形成されてレーザー光の照射により発生した熱を拡散する熱拡散層と、凸部および凹部の熱拡散層上に形成された保護層と、凸部および凹部の保護層上に形成されてレーザー光の照射によって情報を記録する記録層とを備え、凹部の記録層から隣接する凸部の熱拡散層までの熱抵抗は、当該凹部の記録層から当該凹部の熱拡散層までの熱抵抗より小さいことを特徴とするものである。
また、本発明にかかる他の記録可能な光ディスクは、同心円状またはスパイラル状に形成されたトラッキング用の凸部（ランド部）および凹部（グルーブ部）を有する基板と、凸部および凹部の上に形成されてレーザー光の照射により発生した熱を拡散する熱拡散層と、凸部および凹部の熱拡散層上に形成された保護層と、凸部および凹部の保護層上に形成されてレーザー光の照射によって情報を記録する記録層とを備え、凹部の記録層は、当該凹部の熱拡散層と比較して、隣接する凸部の熱拡散層と熱伝導的に近い位置に形成されていることを特徴とするものである。
また、本発明にかかる他の記録可能な光ディスクは、同心円状またはスパイラル状に形成されたトラッキング用の凸部（ランド部）および凹部（グルーブ部）を有する基板と、当該基板上に形成された熱拡散層と、当該熱拡散層上に形成された保護層と、当該保護層上に形成されてレーザー光の照射によって情報を記録する記録層とを備える記録可能な光ディスクにおいて、光ディスクの厚さ方向における高さ位置を見たとき、凹部における記録層と凸部における熱拡散層とがほぼ一致する高さ位置にあることを特徴とするものである。
【手続補正４】
【補正対象書類名】明細書
【補正対象項目名】０００９
【補正方法】変更
【補正の内容】
【０００９】
このほか、本発明による記録可能な光ディスクとして、同心円状またはスパイラル状に形成されたトラッキング用の凸部および凹部を有する基板上に形成されレーザー光の照射により発生した熱を拡散する熱拡散層と、この熱拡散層上に形成された保護層と、この保護層上に形成され各種情報を記録する記録層とを備えてもよい。したがって、凹部に形成された熱拡散層より高い位置にある比較的膜厚の薄い記録層の付近に凸部の熱拡散層が形成され、凸部の比較的膜厚の厚い記録層の付近に凹部の熱拡散層が形成されない。
また、凸部の熱拡散層を、この凸部に隣接する凹部の記録層の近傍に形成してもよく、凹部の記録層および凸部の熱拡散層を、ディスクの厚さ方向でほぼ同じ高さ位置に形成してもよい。また、凹部の熱拡散層および保護層の膜厚の和を、凹部の基板自体の深さの５０〜１５０％としてもよい。したがって、それぞれ凹部の記録層に発生した熱が凸部の熱拡散層により放熱される。
また、基板と反対側のディスク面上に接着され、記録再生に用いるレーザー光の波長で透過性を有する透明基板を備えてもよい。したがって、透明基板を介して熱拡散層とは反対側からレーザー光が照射される。
また、熱拡散層を金属膜で形成してもよい。また、熱拡散層の膜厚を１０〜１００ｎｍとしてもよい。したがって、熱拡散層により熱が効率よく拡散される。
また、記録層を、結晶の状態により反射率の異なる相変化膜から形成してもよい。したがって、相変化光ディスクにおいて、凹部に形成された熱拡散層より高い位置にある比較的膜厚の薄い記録層の付近に凸部の熱拡散層が形成され、凸部の比較的膜厚の厚い記録層の付近に凹部の熱拡散層が形成されない。


【手続補正５】
【補正対象書類名】明細書
【補正対象項目名】００１０
【補正方法】変更
【補正の内容】
【００１０】
また、記録層を、記録用レーザー光の照射により加熱された場合に外部から印加された磁界により磁化方向が変化する光磁気層から形成してもよい。また、保護層と記録層との間に形成され、常温では面内磁化状態であり、再生用レーザー光の照射により加熱された場合に垂直磁化状態となる再生層を備えてもよい。
また、再生層と記録層との間に形成され、常温では垂直磁化状態であり、再生用レーザー光の照射により加熱された場合に磁化消滅状態となる再生中間層を備えてもよい。


【手続補正６】
【補正対象書類名】明細書
【補正対象項目名】００１１
【補正方法】変更
【補正の内容】
【００１１】
また、記録層上に形成され、常温および再生用レーザー光の照射により加熱された場合に垂直磁化状態である再生層と、この再生層と記録層との間に形成され、常温では面内磁化状態であり、レーザー光の照射により加熱された場合に垂直磁化状態となり、さらに高温では磁化消滅状態となる再生中間層を備えてもよい。
したがって、各種の光磁気ディスクにおいて、凹部に形成された熱拡散層より高い位置にある比較的膜厚の薄い記録層の付近に凸部の熱拡散層が形成され、凸部の比較的膜厚の厚い記録層の付近に凹部の熱拡散層が形成されない。


【手続補正７】
【補正対象書類名】明細書
【補正対象項目名】００１２
【補正方法】変更
【補正の内容】
【００１２】
また、同心円状またはスパイラル状に形成されたトラッキング用の凸部および凹部を有する光ディスクにおいて、凹部に形成され情報を記録する記録層と、凸部に形成され情報を記録する記録層と、凸部であって、この凸部と隣接する凹部の記録層の近傍に形成され、凹部の記録層に発生した熱を拡散させる熱拡散層とを備えてもよい。
したがって、凹部の記録層に発生した熱が隣接する凸部の熱拡散層により放熱される。


【手続補正８】
【補正対象書類名】明細書
【補正対象項目名】００６９
【補正方法】変更
【補正の内容】
【００６９】
【発明の効果】
以上説明したように、本発明は、同心円状またはスパイラル状に形成されたトラッキング用の凸部（ランド部）および凹部（グルーブ部）を有する基板と、凸部および凹部の上に形成されてレーザー光の照射により発生した熱を拡散する熱拡散層と、凸部および凹部の熱拡散層上に形成された保護層と、凸部および凹部の保護層上に形成されてレーザー光の照射によって情報を記録する記録層とを備え、凹部の記録層は、その厚さが凸部の記録層の厚さより薄く、凹部の記録層は、当該光ディスクの厚さ方向において凸部の熱拡散層とほぼ一致する高さ位置に形成され、凸部および凹部の記録層は、それぞれ同じパワーのレーザー光により情報を記録するようにしたので、凹部に形成された熱拡散層より高い位置にある比較的膜厚の薄い記録層の付近に凸部の熱拡散層が形成されるとともに、凸部の比較的膜厚の厚い記録層の付近に凹部の熱拡散層が形成されなくなり、凹部の記録層の付近に形成された凸部の熱拡散層により、凹部の記録層に発生した熱を確実に放熱することができる。したがって、従来のように、単に凸部と凹部とに深い段差（深溝）を設けた場合と比較して、凸部および凹部の記録層に膜厚差が発生する場合でも、隣接する凸部に対する誤った消去（クロスイレーズ）を発生させることなく、等しいパワーのレーザー光により安定して記録消去することができ、装置の構成および制御を簡略化できる。


【手続補正９】
【補正対象書類名】明細書
【補正対象項目名】００７０
【補正方法】変更
【補正の内容】
【００７０】
また、凹部の記録層から隣接する凸部の熱拡散層までの熱抵抗を、当該凹部の記録層から当該凹部の熱拡散層までの熱抵抗より小さくし、あるいは凹部の記録層を、当該凹部の熱拡散層と比較して、隣接する凸部の熱拡散層と熱伝導的に近い位置に形成し、あるいは光ディスクの厚さ方向における高さ位置を見たとき、凹部における記録層と凸部における熱拡散層とがほぼ一致する高さ位置にあるようにしたので、凹部の記録層の付近に形成された凸部の熱拡散層により、凹部の記録層に発生した熱を確実に放熱することができる。


【手続補正１０】
【補正対象書類名】明細書
【補正対象項目名】００７１
【補正方法】削除
【補正の内容】
【手続補正１１】
【補正対象書類名】明細書
【補正対象項目名】００７２
【補正方法】削除
【補正の内容】
【手続補正１２】
【補正対象書類名】明細書
【補正対象項目名】００７３
【補正方法】削除
【補正の内容】